(57)【特許請求の範囲】
【請求項１】
シャフトと、
前記シャフトに連結するバットと、
を備え、
前記シャフトと前記バットとの少なくとも一方が、外形を円錐台形状あるいは円柱状に形成された硬質の主部と、前記主部の側面に接着剤を用いて貼着される外周表面層とからなる多層構造をなし、
前記主部は、
棒中心部と、
前記棒中心部と前記外周表面層との間に位置し前記棒中心部の外周面に接着剤によって貼着される中間層と、
を含み、
前記中間層は、木材であることを特徴とするビリヤード用キュー。
【請求項２】
前記多層構造の中心に貫通孔を設けた、
請求項１記載のビリヤード用キュー。
【発明の詳細な説明】
【０００１】
【発明の属する技術分野】
この発明は、ビリヤード用キューに関する。
【０００２】
【従来の技術】
ビリヤード用キューは、シャフトとバットを分離可能に連結して構成されるが、シャフト、バットともに従来、主に木製の素材１種を使用して形成されていた。
【０００３】
また、ビリヤード用キューのシャフトとバットの構成を、木製という同一の素材を多層構造にしたものが、特願平１１−２５１７９９で本願出願人によって出願されている。
【０００４】
【発明が解決しようとする課題】
従来のように単材、とくに木製単材で製造されたビリヤード用キューであると、曲がり等の癖が出易くなる課題があった。
【０００５】
又、単材で製造されたビリヤード用キューであると、折れやすく、破損しやすい課題があった。
【０００６】
【課題を解決するための手段】
本発明のビリヤード用キューは、シャフトと、前記シャフトに連結するバットと、を備え、前記シャフトと前記バットとの少なくとも一方が、外形を円錐台形状あるいは円柱状に形成された硬質の主部と、前記主部の側面に接着剤を用いて貼着される外周表面層とからなる多層構造をなし、前記主部は、棒中心部と、前記棒中心部と前記外周表面層との間に位置し前記棒中心部の外周面に接着剤によって貼着される中間層と、を含み、前記中間層は、木材である。
【００１１】
【発明の実施の形態】
この発明の実施の形態を示し、３層構造のビリヤード用キューのシャフトまたはバットの斜視図である図１、同じく他の実施例を示し、２層構造のビリヤード用キューのシャフトまたはバットの斜視図である図２、３層構造の中心に孔が貫通する実施形態のビリヤード用キューのシャフトまたはバットの斜視図である図３に基づいて説明する。
【００１２】
この発明の第１実施の形態である図１に示すビリヤード用キューのシャフト１またはバット２は、外形状がややテーパー状である細長い円錐台形状棒状体であり、棒中心部３から中間層４を介して外周表面層５へ異なる素材からなる３層構造を有する。これらの３層構造の１層は、それぞれ合金、軽合金、金属、木、合板、自然皮革、合成皮革、糸、自然ゴム、合成ゴム、軟質合成樹脂、硬質合成樹脂、ガラス繊維、カーボン繊維などの強化プラスチック繊維等の素材からなり、次の隣接する層とは、異なる素材を使用して作成する。この実施形態では、棒中心部３である第１層３はカーボン繊維、中間層４である第２層４は木材、外周表面層５である第３層５は、合成皮革からなる。他の実施例では、別の素材でもよい。
【００１３】
この発明の第１実施形態のビリヤード用キューのシャフト１またはバット２の製造方法について説明する。ビリヤード用キューのシャフト１またはバット２は、棒状体の棒中心部３である第１層３は、合金、軽合金、金属、木、合板、自然皮革、合成皮革、糸、自然ゴム、合成ゴム、軟質合成樹脂、硬質合成樹脂、ガラス繊維、カーボン繊維などの強化プラスチック繊維等からなる１種の素材で円錐台状形状あるいは円柱状に形成される。
【００１４】
第１層３が、円錐台状の場合は中間層４である第２層４の形状は、ほぼ厚さの一定の円錐環形状であり、これは第１層３を形成する素材とは異なる１種の素材で形成される。第２層４は、第１層３の外周面に接着剤等で貼着する。
【００１５】
外周面層５である第３層５は、第２層４の更に外周に設けられ、第２層４と同様、ほぼ厚さの一定の円錐環形状であり、これは第２層４を形成する素材と異なる１種の素材で形成されるが、第１層３とは同種でもかまわない。第３層５は、第２層４の外周面に接着剤等で貼着する。
【００１６】
第１層３が、円柱状に形成される場合、第２層４か、第３層５の円筒状体を、外周にテーパーを付けた円錐台状に形成する。
【００１７】
図３に示す第３実施形態は、第１実施形態の３層構造の棒中心部３を形成する第１層３の中心に棒長手方向に貫通する貫通孔６を設けている。この第３実施形態では、第１層３は、円筒形状である。
【００１８】
この発明の第２実施の形態である図２に示すビリヤード用キューのシャフト１またはバット２は、外形状がややテーパー状である細長い円錐台形状棒状体であり、棒中心部３と外周表面層５の２種の異なる素材からなる２層構造を有する。これらの２層構造のそれぞれの１層は、合金、軽合金、金属、木、合板、自然皮革、合成皮革、糸、自然ゴム、合成ゴム、軟質合成樹脂、硬質合成樹脂、ガラス繊維、カーボン繊維などの強化プラスチック繊維等の素材からなり、隣接する層とは、異なる素材を使用して作成する。
【００１９】
この発明の第２実施形態のビリヤード用キューのシャフト１またはバット２の製造方法について説明する。ビリヤード用キューのシャフト１またはバット２は、棒状体の棒中心部３は、合金、軽合金、金属、木、合板、自然皮革、合成皮革、糸、自然ゴム、合成ゴム、軟質合成樹脂、硬質合成樹脂、ガラス繊維、カーボン繊維などの強化プラスチック繊維等からなる１種の素材で円錐台状形状あるいは円柱状に形成される。
【００２０】
棒中心部３が、円錐台状の場合は外周表面層５の形状は、ほぼ厚さの一定の円錐環形状であり、これは棒中心部３を形成する素材とは異なる１種の素材で形成される。外周表面層５は、棒中心部３の外周面に接着剤等で貼着する。
【００２１】
棒中心部３が、円柱状に形成される場合、外周表面層５の円筒状体を、外周にテーパーを付けた円錐台状に形成する。
【００２２】
第１実施形態の３層構造、第２実施形態の２層構造の他に、４層以上の構造で互いに異なる素材で形成することも可能である。
【００２３】
この発明のビリヤード用キューで玉を突くと、単材で製造されたキューとは、異なった感触が握っている手に伝わる。そのため、従来にはないカーブやスピンが掛かることがある。
【００２４】
【発明の効果】
この発明のビリヤード用キューは、従来の単材で製造されたビリヤード用キューより、丈夫で強度を有し、折れたり破損がしにくくなった。
【００２５】
複数の性質の異なる素材の組み合わせにより、従来と比べ考えられないような強度や、玉を突いたときの手に伝わる感触が発生する可能性があり、玉を突いた時のスピンの掛かり具合や、カーブの曲がり具合が微妙に変化して、競技の意外性が出る可能性があるという効果がある。
【図面の簡単な説明】
【図１】  この発明の実施形態を示し、３層構造のビリヤード用キューのシャフトまたはバットの一部切欠斜視図
【図２】  この発明の他の実施形態を示し、２層構造のビリヤード用キューのシャフトまたはバットの一部切欠斜視図
【図３】  この発明の他の実施形態を示し、３層構造の中心に孔が貫通する実施形態のビリヤード用キューのシャフトまたはバットの一部切欠斜視図
【符号の説明】
１  ビリヤード用キューのシャフト
２  ビリヤード用キューのバット
３  棒中心部（第１層）
４  中間層（第２層）
５  外表面層（第３層）
６  貫通孔
【図１】
0004656686.tif 000002
【図２】
0004656686.tif 000003
【図３】
0004656686.tif 000004